【手続補正書】
【提出日】令和1年6月14日(2019.6.14)
【手続補正１】
【補正対象書類名】明細書
【補正対象項目名】００８２
【補正方法】変更
【補正の内容】
【００８２】
好ましい実施形態を参照しながら本開示を説明してきたが、本開示の趣旨及び範囲から逸脱しない範囲で形態及び細部の変更を行えることは、当業者であれば理解できるであろう。
［付記］
（付記１）
研磨物品を製造するための方法であって、
研磨剤粒子を分配ツールに充填することであって、前記分配ツールは複数のスロットを画定する複数の壁を含み、前記複数のスロットの各々は前記分配ツールの下側に開いている、充填することと、
前記分配ツールの前記下側の直下に位置すると共に前記分配ツールに対して移動するバッキング構造ウェブの主表面上に、前記分配ツールから研磨剤粒子を分配することと、を含み、
前記分配ツールから分配された前記研磨剤粒子のうちの少なくとも大多数は、前記研磨剤粒子のうちの少なくとも大多数の各研磨剤粒子が、
ａ）前記複数のスロットの１つに入り、
ｂ）前記研磨剤粒子の第１の部分が前記下側を越えて前記主面と接触し、前記研磨剤粒子の第２の部分が前記スロット内にあるように、対応するスロットを部分的に通過し、
ｃ）前記ウェブが前記分配ツールに対して移動する間の滞留期間に、前記壁のうちの少なくとも１つと前記主表面とに同時に接触したままとなる、粒子の配向シーケンスを受ける、方法。
（付記２）
研磨剤粒子を分配する前記ステップにおいて、前記スロットのそれぞれの中に同時に複数の前記研磨剤粒子がある、付記１に記載の方法。
（付記３）
研磨剤粒子を分配する前記ステップが、対応する配向シーケンスの一部として複数の研磨剤粒子が前記主表面と前記壁の第１の壁とに同時に接触することを含む、付記１に記載の方法。
（付記４）
研磨剤粒子を分配する前記ステップが、前記分配ツールを振動させることを含む、付記１に記載の方法。
（付記５）
前記分配ツールが、前記移動するウェブの機械方向に沿って振動される、付記４に記載の方法。
（付記６）
研磨剤粒子を充填する前記ステップが、研磨剤粒子を前記分配ツールに連続的に充填することを含む、付記１に記載の方法。
（付記７）
前記複数のスロットの各々が、幅及び深さよりも大きい長さを画定し、更に前記分配ツールが、前記スロットの各々の前記長さの方向が、前記移動するウェブの機械方向と実質的に平行となるように配置される、付記１に記載の方法。
（付記８）
前記スロットの各々が、前記分配ツールの入口側から前記分配ツールの出口側に長さ方向に延在し、前記移動するウェブの機械方向に対して、前記入口側が前記出口側の上流側に位置され、更に充填の前記ステップが前記研磨剤粒子を前記入口側に導くことを含む、付記７に記載の方法。
（付記９）
前記分配ツールから分配される前記研磨剤粒子の少なくとも７５％が、前記粒子の配向シーケンスを受ける、付記１に記載の方法。
（付記１０）
前記分配ツールから分配される前記研磨剤粒子の少なくとも９０％が、前記粒子の配向シーケンスを受ける、付記９に記載の方法。
（付記１１）
前記分配ツールから分配される前記研磨剤粒子の１００％未満が、前記粒子の配向シーケンスを受ける、付記１に記載の方法。
（付記１２）
前記分配ツールに充填するための研磨剤粒子の供給分を提供することであって、研磨剤粒子の前記供給分の研磨剤粒子が、公称最大長さ、公称最大高さ、及び公称最大厚さを有し、前記公称最大長さ及び前記公称最大高さが、前記公称最大厚さよりも大きく、更に前記スロットの各々の幅が前記公称最大長さ及び前記公称最大高さ未満である、提供することを更に含む、付記１に記載の方法。
（付記１３）
前記スロットの各々の前記幅が、前記公称最大厚さよりも大きい、付記１２に記載の方法。
（付記１４）
前記スロットの各々の前記幅が、前記公称最大厚さの少なくとも１２５％である、付記１３に記載の方法。
（付記１５）
前記研磨剤粒子のうちの少なくとも一部のための前記配向シーケンスが、
前記主表面を第１の空間的配向で最初に接触させることと、
前記第１の部分が前記主表面と接触したままとなり、かつ前記第２の部分が前記対応するスロットの領域内にあるときに、第２の空間的配向に自己調整することとを含む、付記１に記載の方法。
（付記１６）
自己調整の前記ステップが、前記研磨剤粒子が前記対応するスロットの前記壁の１つと接触するまで、前記研磨剤粒子が、少なくとも部分的に重力のために前記主表面に対して傾くことを含む、付記１５に記載の方法。
（付記１７）
前記分配ツールから研磨剤粒子を分配する前記ステップの後、前記分配された粒子が前記分配ツールと接触しなくなると共に、前記方法が、前記分配された研磨剤粒子のうちの少なくとも一部が、少なくとも部分的に重力のために前記主表面に対して傾くことを更に含む、付記１に記載の方法。
（付記１８）
前記バッキング構造ウェブが、バッキングの主表面に沿ったメークコートを含む、付記１に記載の方法。
（付記１９）
研磨物品を製造するためのシステムであって、
複数のスロットを画定する複数の壁を含み、前記スロットの各々は分配ツールの下側に開いている、分配ツールと、
前記分配ツールの前記下側の直下で機械方向にバッキング構造ウェブを操作するように構成される、ウェブ送出し装置とを含み、
前記スロットの各々が長さ、深さ、及び幅を画定し、前記長さは前記深さよりも大きく、前記深さは前記幅よりも大きく、
更に前記分配ツールは、前記ウェブ送出し装置に対して前記スロットの各々が、
前記深さが前記機械方向に対して実質的に垂直で、
前記長さが前記機械方向に対して実質的に平行で、
前記幅が前記深さ及び前記長さに対して実質的に直交するように配置される、システム。
（付記２０）
前記複数の壁の各々が、第２の端部の反対側の第１の端部を画定し、前記壁は、前記第１の端部が前記分配ツールの前記下側で位置が合うように配置される、付記１９に記載のシステム。
（付記２１）
前記複数の壁の各々が、前記第１及び前記第２の端部の間の高さを画定し、更に前記壁が交互に異なる高さを有する、付記２０に記載のシステム。
（付記２２）
前記複数の壁が、第１の壁と、前記第１の壁の直近で隣接する第２の壁と、前記第２の壁の直近で隣接すると共に前記第１の壁の反対側にある第３の壁とを含み、更に前記第１及び前記第２の壁の高さが、前記第２の壁の高さよりも大きい、付記２１に記載のシステム。
（付記２３）
前記第１の壁の前記第２の端部が、前記第３の壁の前記第２の端部と位置を合わせられ、前記第２の壁の前記第２の端部が、前記第１及び前記第３の壁の前記第２の端部から、前記下側の方向にオフセットされる、付記２２に記載のシステム。
（付記２４）
前記分配ツールを振動させるために、前記分配ツールに接続される振動装置を更に含む、付記１９に記載のシステム。
（付記２５）
前記分配ツールが、出口側の反対側にある入口側を画定し、前記機械方向に対して、前記入口側が前記出口側の上流に位置され、前記システムが、
前記入口側に隣接して配置される排出口端部を有する研磨剤粒子供給装置を更に含む、付記１９に記載のシステム。
【手続補正２】
【補正対象書類名】特許請求の範囲
【補正対象項目名】全文
【補正方法】変更
【補正の内容】
【特許請求の範囲】
【請求項１】
研磨物品を製造するための方法であって、
研磨剤粒子を分配ツールに充填することであって、前記分配ツールは複数のスロットを画定する複数の壁を含み、前記複数のスロットの各々は前記分配ツールの下側に開いている、充填することと、
前記分配ツールの前記下側の直下に位置すると共に前記分配ツールに対して移動するバッキング構造ウェブの主表面上に、前記分配ツールから研磨剤粒子を分配することと、を含み、
前記分配ツールから分配された前記研磨剤粒子のうちの少なくとも大多数は、前記研磨剤粒子のうちの少なくとも大多数の各研磨剤粒子が、
ａ）前記複数のスロットの１つに入り、
ｂ）前記研磨剤粒子の第１の部分が前記下側を越えて前記主面と接触し、前記研磨剤粒子の第２の部分が前記スロット内にあるように、対応するスロットを部分的に通過し、
ｃ）前記ウェブが前記分配ツールに対して移動する間の滞留期間に、前記壁のうちの少なくとも１つと前記主表面とに同時に接触したままとなる、粒子の配向シーケンスを受ける、方法。
【請求項２】
研磨剤粒子を分配する前記ステップにおいて、前記スロットのそれぞれの中に同時に複数の前記研磨剤粒子がある、請求項１に記載の方法。
【請求項３】
研磨剤粒子を分配する前記ステップが、対応する配向シーケンスの一部として複数の研磨剤粒子が前記主表面と前記壁の第１の壁とに同時に接触することを含む、請求項１に記載の方法。
【請求項４】
研磨剤粒子を分配する前記ステップが、前記分配ツールを振動させることを含む、請求項１に記載の方法。
【請求項５】
研磨物品を製造するためのシステムであって、
複数のスロットを画定する複数の壁を含み、前記スロットの各々は分配ツールの下側に開いている、分配ツールと、
前記分配ツールの前記下側の直下で機械方向にバッキング構造ウェブを操作するように構成される、ウェブ送出し装置とを含み、
前記スロットの各々が長さ、深さ、及び幅を画定し、前記長さは前記深さよりも大きく、前記深さは前記幅よりも大きく、
更に前記分配ツールは、前記ウェブ送出し装置に対して前記スロットの各々が、
前記深さが前記機械方向に対して実質的に垂直で、
前記長さが前記機械方向に対して実質的に平行で、
前記幅が前記深さ及び前記長さに対して実質的に直交するように配置される、システム。